(57)【要約】      （修正有）【課題】液状物をこぼすことなく容易に内袋を交換できるポンプ付きの液状物容器を提供する。【解決手段】内袋３の袋口に筒状の出口部材２０を接合し、出口部材２０の先端出口には袋キャップを備えると共に、出口部材２０には外向きに張出した嵌合片２７を一体的に形成する。そして、外容器２の開口部より内袋３を挿入して開口部の口縁に設けた切欠き部に上記嵌合片２７を嵌め、その上から内袋固定用リング６を被せて外容器２の口縁部に螺子止めし、これにより嵌合片２７を外容器２の口縁部と内袋固定用リング６の間で挟んで内袋３を外容器２に対し固定する。内袋固定用リング６より上方に突出した出口部材２０の先端出口（ポンプ取付部２３）には、取外した袋キャップの代わりにポンプ部材を装着して、ポンプ部材の吸引チューブを先端出口より内袋に挿通する。【選択図】図３
0003159981.tif 000002
【実用新案登録請求の範囲】
【請求項１】
液状物を収容するための軟質な材質の内袋と、この内袋を収容するための硬質な材質の外容器と、内袋の液状物を吸引して外部に取り出す手動式のポンプ部材とから成る液状物容器において、
上記内袋の袋口に筒状の出口部材を接合し、その先端出口には袋キャップを備えると共に、出口部材には外向きに張出した嵌合片を一体的に形成し、
そして上記外容器の開口部より内袋を挿入して開口部の口縁に設けた切欠き部に上記嵌合片を嵌め、その上から内袋固定用リングを被せて外容器の口縁部に螺子止めし、これにより嵌合片を外容器の口縁部と内袋固定用リングの間で挟んで内袋を外容器に対し固定し、
さらに内袋固定用リングより上方に突出した出口部材の先端出口には、取外した袋キャップの代わりにポンプ部材を装着して、ポンプ部材の吸引チューブを先端出口より内袋に挿通することを特徴とする液状物容器。
【請求項２】
前記出口部材の外周に縦方向の突条を左右一対形成し、これら突条を内袋の袋口の合わせ目に位置させて、内袋と出口部材を熱溶着により接合することを特徴とする請求項１記載の液状物容器。
【請求項３】
前記出口部材の外周に張出すフランジを形成し、このフランジに前記内袋の袋口を接して内袋と出口部材を熱溶着により接合することを特徴とする請求項１記載の液状物容器。
【請求項４】
前記嵌合片を出口部材の左右に一対形成し、これらを前記外容器の開口部に設けた切欠き部に嵌めることを特徴とする請求項１記載の液状物容器。
【考案の詳細な説明】
【技術分野】
【０００１】
本考案は、液体やコロイド状の内容物（以下「液状物」という）を詰替え可能にしたポンプ付きの液状物容器に関する。
【背景技術】
【０００２】
容器全体を内外二重構造にし、そのうちの内側容器に相当する軟質な内袋に液状物を詰め、これにポンプ部材を接続すると共に、外側容器に相当する硬質なカップ状の外容器の中に内袋を収容したポンプ付き液状物用詰め替え容器が多数出願されている（特許文献１〜５）。
この種の容器は、内袋を交換するだけで詰め替えができ、詰替え時に液状物を内袋の中に注ぎ足す手間がいらないうえ、古い液状物は使用済みの内袋と共に廃棄するから、常に新しい液状物が使用でき、清潔且つ衛生的であるという長所がある。加えて高額なポンプ部材や塗装などを施した外容器を繰り返し使用でき資源の無駄がないため、シャンプー液や化粧品の詰め替え用に重宝がられている。
しかし、特許文献１〜５のいずれも、内袋とポンプ部材との接続の際に、軟らかくてつぶれやすい内袋を手で持つ必要があるため、誤って内袋を強く握るなどして液状物が内袋の口からもれ出るおそれがあった。
【先行技術文献】
【特許文献】
【０００３】
【特許文献１】特許第２９３４９２２号公報
【特許文献２】特許第３７４５０２１号公報
【特許文献３】特許第４１６９９３２号公報
【特許文献４】特許第４１８２５２０号公報
【特許文献５】特許第４１９４８７３号公報
【考案の概要】
【考案が解決しようとする課題】
【０００４】
本考案が解決しようとする課題は、液状物をこぼすことなく、容易に内袋を交換できるポンプ付きの液状物容器を提供することである。
【課題を解決するための手段】
【０００５】
請求項１の考案は、液状物を収容するための軟質な材質の内袋と、この内袋を収容するための硬質な材質の外容器と、内袋の液状物を吸引して外部に取り出す手動式のポンプ部材とから成る液状物容器において、
上記内袋の袋口に筒状の出口部材を接合し、その先端出口には袋キャップを備えると共に、出口部材には外向きに張出した嵌合片を一体的に形成し、
そして上記外容器の開口部より内袋を挿入して開口部の口縁に設けた切欠き部に上記嵌合片を嵌め、その上から内袋固定用リングを被せて外容器の口縁部に螺子止めし、これにより嵌合片を外容器の口縁部と内袋固定用リングの間で挟んで内袋を外容器に対し固定し、
さらに内袋固定用リングより上方に突出した出口部材の先端出口には、取外した袋キャップの代わりにポンプ部材を装着して、ポンプ部材の吸引チューブを先端出口より内袋に挿通することを特徴とする。
請求項２の考案は、前記出口部材の外周に縦方向の突条を左右一対形成し、これら突条を内袋の袋口の合わせ目に位置させて、内袋と出口部材を熱溶着により接合することを特徴とする。
請求項３の考案は、前記出口部材の外周に張出すフランジを形成し、このフランジに前記内袋の袋口を接して内袋と出口部材を熱溶着により接合することを特徴とする。
請求項４の考案は、前記嵌合片を出口部材の左右に一対形成し、これらを前記外容器の開口部に設けた切欠き部に嵌めることを特徴とする。
【考案の効果】
【０００６】
請求項１の考案は、内袋が嵌合片によって外容器内の所定位置に支持されるとともに、嵌合片と切欠き部との嵌合により回動が制限されるので、内袋を外容器に入れた状態で容易にポンプ部材との接続を行うことができる。また、軟らかい内袋を掴むことなく、ポンプ部材との接続を行えるので、液状物をこぼすおそれがない。また、内袋を外容器内に入れる際には、嵌合片を外容器の切欠き部に載置すればよく、操作が容易である。
請求項２の考案は、出口部材の外周に縦方向の突条を左右一対形成し、これら突条を内袋の袋口の合わせ目に位置させて、内袋と出口部材を熱溶着により接合するので、内袋が出口部材に密着し、接合部分より内容物が漏洩しない。
請求項３の考案は、出口部材の外周に張出すフランジを形成し、このフランジに内袋の袋口を接して内袋と出口部材を熱溶着により接合するので、内袋を出口部材に熱熔着する際にフランジがガイドになり、内袋を適切な位置に接合するための位置あわせが容易である。
請求項４の考案は、嵌合片を出口部材の左右に一対形成し、これらを外容器の開口部に設けた切欠き部に嵌めるので、嵌合片が１つのものに比べ内袋の回動を確実に規制できる。また、嵌合片が３つ以上のものに比べ製造が容易であり、回動を規制する作用もほぼ同じである。
【図面の簡単な説明】
【０００７】
【図１】キャップを外した状態のポンプ付き液状物容器の正面図である。
【図２】ポンプ付き液状物容器の分解図である。
【図３】外容器内に収容された内袋の状態の要部拡大図である。
【図４】内袋固定用リングの縦断面図である。
【図５】内袋の正面図である。
【図６】内袋の平面図である。
【図７】ポンプ部材の斜視図である。
【図８】別の実施例になるポンプ付き液状物容器の要部拡大図である。
【図９】内袋と出口部材との接合を示す断面図である。
【考案を実施するための形態】
【０００８】
以下、本考案に係るポンプ付き液状物容器の実施形態について図を参照して説明する。
図１はキャップを外した状態のポンプ付き液状物容器の正面図、図２は外容器の分解図、図３は外容器内に収容された内袋及び出口部材の状態の要部拡大図、図４は内袋固定用リングの縦断面図、図５は出口部材を接合した内袋の正面図、図６は出口部材を接合した内袋の平面図、図７はポンプ部材の斜視図である。
１はポンプ付きの液状物容器であり、外容器２、内袋３、ポンプ部材４などからなる。
【０００９】
外容器２は、容器本体５、内袋固定用リング６、キャップ７からなり、容器本体５を除きプラスチック製である。
容器本体５は、上面が開口したカップ状の硬質容器であり、プラスチック又は硝子により製造する。この容器本体５の上部外周面にネジ８を設け、開口部の口縁に一対の切欠き部９を対向させて設ける。
内袋固定用リング６は、上面中央が開口したキャップ状の下半部６ａの上面中央に、下半部６ａより小さい円環状の上半部６ｂを一体に重ねた形状であり、下半部６ａの内側周面に容器本体５のネジ８と螺合するネジ１７を設ける。
キャップ７は、底部が開放した円筒状であり、ポンプ部材４に被覆した状態で、その下端部が内袋固定用リングの下半部６ａに接する。そして、押しボタン１０を覆い、押しボタン１０がむやみに押し下げられないよう保護する。
【００１０】
ポンプ部材４は、押しボタン１０を上部に備える公知のポンプであり、押しボタン１０の他に、ピストン及び逆止弁等を内蔵するポンプ本体１２、ポンプ本体１２の下端から延びる吸引チューブ１３、ポンプ本体１２の下部に設けられ、吸引チューブ１３の上端を覆うキャップ状部材１４より形成される。
押しボタン１０は、側部に吐出口１１を備え、ポンプ本体１２の上部開口１５に出没自在に取り付ける。キャップ状部材１４の内周面には、ネジ１４ａを設ける。
【００１１】
内袋３には、袋口１６に筒状の出口部材２０を接合する。
内袋３は、液状物（内容物）が無くなった状態で底面部１９が折り畳まれ扁平につぶれるのであれば、公知のいずれの形状のものであってもよい。
出口部材２０は、上端にフランジ２１を有する円管状の袋口接合部２２と、フランジ２１の上部に連結するポンプ取付部２３からなる。
袋口接合部２２は、内径は変わらないが、下部になるほど外径が小になる形状であり、外周に縦方向の突条２４を左右一対形成する。フランジ２１の外径は、容器本体５の内径より小である。
ポンプ取付部２３は円管状で、上部外周にネジ２５を有し、その直下に環状突起２６を有する。また、このポンプ取付部２３の下部には、外向きに張出した嵌合片２７を設ける。
嵌合片２７は、長方形状の板であり、長辺部の長さが容器本体５の内径より大であり、短辺部の長さが切欠き部９の幅より小である。
内袋３と出口部材２０とは、熱シールや接着剤などにより接合する。熱シールによる接合が簡便であるので、内袋３は、熱シール可能なプラスチックシート製か、少なくも内側部分に熱シール可能なプラスチックシートを貼り付けたアルミニウムシート製の袋にし、出口部材２０をプラスチック製にするとよい。
熱シールにより接合する際には、上記突条２４が、内袋３の袋口１６の合わせ目に密着し、内袋３と出口部材２０とを隙間なく接合する（図９）。
なお、流通時などでは、ポンプ取付部の口部２８は、シール２８ａを貼り付けて密封した後、袋キャップ１８を締めて液状物が流出しないようにする。
【００１２】
以上のようにしてなるポンプ付き液状物容器１は、以下の作業により液状物の詰替えを行う。
先ず、ポンプ取付部２３からポンプ部材４を外す。次に、内袋固定用リング６を容器本体５から外す。以上の作業はいずれもネジを回し螺合状態を解除することにより行え、道具が不要で簡単である。そして、使用済みとなった出口部材２０を接合した内袋３を、容器本体５から取り出す。
この後、容器本体５内に、出口部材２０を接合した状態の新しい内袋３を入れる。この際に、容器本体５の切欠き部９に、嵌合片２７を嵌合する。嵌合片２７の短辺部は、切欠き部９に比べ小であるので、嵌合片２７は切欠き部９に緩く嵌合する。
次に、内袋固定用リング６を容器本体５に螺合し、内袋固定用リング６の内部段差部６ｃを嵌合片２７の上面に接触させて嵌合片２７を切欠き部９内に確保する。
この状態で、ポンプ取付部の口部２８の袋キャップ１８及びシール２８ａを外す。軟らかくてつぶれやすい内袋３を握ることなく、袋キャップ１８及びシール２８ａを外すことができるので、液状物をこぼすおそれがない。
その後、軟らかくてつぶれやすい内袋３を握ることなく、容器本体５を握り、ポンプ取付部２３にポンプ部材４を螺合し、詰替え作業が終了する。
【００１３】
次に、別の実施形態について説明する。
図８に示すとおり上記実施形態との違いは、内袋３を容器本体５に入れた際に、環状突起２６が内袋固定用リング６内に入ること、及びポンプ本体１２の下部外周にフランジ２９を設け、内袋固定用リング６を螺合した際に、このフランジ２９が内袋固定用リング６の口縁部６ｄに接することである。
このポンプ付き液状物容器１は、以下の作業により液状物の詰替えを行う。
先ず、内袋固定用リング６を外した後、ポンプ取付部２３からポンプ部材４を外す。そして、使用済みになった出口部材２０を接合した内袋３を、容器本体５から取り出す。
この後、容器本体５内に出口部材２０を接合した状態の新しい内袋３を入れる。この際に、容器本体５の切欠き部９に、嵌合片２７を嵌合する。次に、出口部材２０より袋キャップ１８及びシール２８ａを外す。その後、ポンプ取付部２３にポンプ部材４を螺合し、内袋固定用リング６を容器本体５に螺合し、詰替え作業が終了する。
詰替え作業が終了後のポンプ部材４のフランジ２９は、内袋固定用リング６の口縁部６ｄによって上から押さえられるので、ポンプ部材４の回転が抑制される。また、嵌合片２７が内袋固定用リング６に接触して回動を抑制される。よって、出口部材２０からポンプ部材４が脱離しない。
【００１４】
上記各実施形態では、嵌合片２７を長方形状とし、切欠き部９を一対にしているが、これに限るものではなく、切欠き部９を３箇所以上設け、嵌合片２７をこれに嵌合するよ中心部より複数の板が延出する形態（例えば切欠き部を４箇所設け、嵌合片２７を十字状）にしてもよい。ただし、嵌合片２７を長方形状とし、切欠き部９を一対にすると、製造が容易であると共に内袋の回動を確実に規制できる。
また、上記各実施形態では、ポンプ部材４は、吐出口１１が押しボタン１０の側部にあるが、押しボタン１０の上部にあってもよい。また、ポンプ部材４は、手動で液状物を排出するものであれば公知のいずれのものであってもよく、押しボタン１０を上部に備えるものに限らない。例えば、トリガーポンプであってもよい。
また、上記各実施形態では、キャップ７を有するが、キャップ７はなくてもよい。特に上記トリガーポンプの場合は、キャップ７は不要である。
また、上記各実施形態では、ポンプ取付部の口部２８に、シール２８ａを貼り付けているが、袋キャップ１８によりポンプ取付部の口部２８が密閉できる場合には、シール２８ａは不要である。
【符号の説明】
【００１５】
１    ポンプ付き液状物容器
２    外容器
３    内袋
４    ポンプ部材
５    容器本体
６    内袋固定用リング
７    キャップ
９    切欠き部
１３    吸引チューブ
１８    袋キャップ
２０    出口部材
２３    ポンプ取付部
２４    突条
２７    嵌合片
【図１】
0003159981.tif 000003
【図２】
0003159981.tif 000004
【図３】
0003159981.tif 000005
【図４】
0003159981.tif 000006
【図５】
0003159981.tif 000007
【図６】
0003159981.tif 000008
【図７】
0003159981.tif 000009
【図８】
0003159981.tif 000010
【図９】
0003159981.tif 000011
【手続補正書】
【提出日】平成22年3月29日(2010.3.29)
【手続補正１】
【補正対象書類名】実用新案登録請求の範囲
【補正対象項目名】全文
【補正方法】変更
【補正の内容】
【実用新案登録請求の範囲】
【請求項１】
液状物を収容するための軟質な材質の内袋と、この内袋を収容するための硬質な材質の外容器と、内袋の液状物を吸引して外部に取り出す手動式のポンプ部材とから成る液状物容器において、
上記内袋の袋口に筒状の出口部材を接合し、当該出口部材の先端出口には袋キャップを備えると共に、出口部材には外向きに張出した嵌合片を一体的に形成し、
そして上記外容器の開口部より内袋を挿入して開口部の口縁に設けた切欠き部に上記嵌合片を嵌め、その上から内袋固定用リングを被せて外容器の口縁部に螺子止めし、これにより嵌合片を外容器の口縁部と内袋固定用リングの間で挟んで内袋を外容器に対し固定し、
さらに内袋固定用リングより上方に突出した出口部材の先端出口には、取外した袋キャップの代わりにポンプ部材を装着して、ポンプ部材の吸引チューブを先端出口より内袋に挿通することを特徴とする液状物容器。
【請求項２】
前記出口部材の外周に縦方向の突条を左右一対形成し、これら突条を内袋の袋口の合わせ目に位置させて、内袋と出口部材を熱溶着により接合することを特徴とする請求項１記載の液状物容器。
【請求項３】
前記出口部材の外周に張出すフランジを形成し、このフランジに前記内袋の袋口を接して内袋と出口部材を熱溶着により接合することを特徴とする請求項１記載の液状物容器。
【請求項４】
前記嵌合片を出口部材の左右に一対形成し、これらを前記外容器の開口部に設けた切欠き部に嵌めることを特徴とする請求項１記載の液状物容器。
【手続補正２】
【補正対象書類名】明細書
【補正対象項目名】０００５
【補正方法】変更
【補正の内容】
【０００５】
請求項１の考案は、液状物を収容するための軟質な材質の内袋と、この内袋を収容するための硬質な材質の外容器と、内袋の液状物を吸引して外部に取り出す手動式のポンプ部材とから成る液状物容器において、
上記内袋の袋口に筒状の出口部材を接合し、当該出口部材の先端出口には袋キャップを備えると共に、出口部材には外向きに張出した嵌合片を一体的に形成し、
そして上記外容器の開口部より内袋を挿入して開口部の口縁に設けた切欠き部に上記嵌合片を嵌め、その上から内袋固定用リングを被せて外容器の口縁部に螺子止めし、これにより嵌合片を外容器の口縁部と内袋固定用リングの間で挟んで内袋を外容器に対し固定し、
さらに内袋固定用リングより上方に突出した出口部材の先端出口には、取外した袋キャップの代わりにポンプ部材を装着して、ポンプ部材の吸引チューブを先端出口より内袋に挿通することを特徴とする。
請求項２の考案は、前記出口部材の外周に縦方向の突条を左右一対形成し、これら突条を内袋の袋口の合わせ目に位置させて、内袋と出口部材を熱溶着により接合することを特徴とする。
請求項３の考案は、前記出口部材の外周に張出すフランジを形成し、このフランジに前記内袋の袋口を接して内袋と出口部材を熱溶着により接合することを特徴とする。
請求項４の考案は、前記嵌合片を出口部材の左右に一対形成し、これらを前記外容器の開口部に設けた切欠き部に嵌めることを特徴とする。